(57)【要約】  【課題】簡単な構成でベッドとしての使用時にベッドとしての幅を十分確保できるベッド兼用ソファを提供する。  【解決手段】座２２を有する椅子本体２と、この椅子本体２に支持させてなる背凭れ３と、前記背凭れ３を、座２２の後上方に起立する通常使用位置Ｃと、下面３ａが座２２の座面２２ａと略面一であるベッド使用位置Ｂとの少なくともいずれかに選択的に保持可能な背凭れ支持機構４とを具備してなる構成のベッド兼用ソファ１を採用する。  【選択図】図２
2010017479.tif 000002
【特許請求の範囲】
【請求項１】
座を有する椅子本体と、この椅子本体に支持させてなる背凭れと、前記背凭れを、座の後上方に起立する通常使用位置と、上面又は下面が座の座面と略面一であるベッド使用位置との少なくともいずれかに選択的に保持可能な背凭れ支持機構とを具備してなることを特徴とするベッド兼用ソファ。
【請求項２】
前記背凭れ支持機構が、前記椅子本体の幅方向端部に回転軸を介して支持されるとともに前記背凭れの幅方向端部を支持するアームを有し、このアームの回転運動により、前記背凭れを前記通常使用位置と前記ベッド使用位置との間で移動可能な構成を有する請求項１記載のベッド兼用ソファ。
【請求項３】
前記座の座面が、前記回転軸上方の部位において他の部位よりも上方に隆起している請求項２記載のベッド兼用ソファ。
【請求項４】
前記背凭れの上面又は底面に、前記ベッド使用位置において接地する背凭れ脚部を設けている請求項１、２又は３記載のベッド兼用ソファ。
【請求項５】
前記背凭れの上面又は底面に、前記背凭れ脚部を幅方向に離間させて複数設けているとともに、これら背凭れ脚部間の部位に前記ベッド使用位置において設置面と離間する凹部を設けている請求項４記載のベッド兼用ソファ。
【発明の詳細な説明】
【技術分野】
【０００１】
本発明は、座を有する椅子本体と、この椅子本体に支持させてなる背凭れとを具備するものであって、背凭れを移動させることによりベッドとしても使用可能なベッド兼用ソファに関する。
【背景技術】
【０００２】
従来、病院等において、通常はソファとして使用するとともに、有事の際等にはベッドとして使用可能なベッド兼用ソファが種々考えられている。このようなベッド兼用ソファの構成としては、従来、座の後上方において起立する通常使用位置と、座と略重なり合うベッド使用位置との間で背凭れを移動可能にしているものが挙げられる（例えば、特許文献１、２を参照）。また、座の後上方において起立する通常使用位置と、背凭れ面が座面と略面一となるベッド使用位置との間で背凭れを移動可能にしているものも挙げられる（例えば、特許文献３を参照）。
【特許文献１】特開２００５−２０４７９５号公報
【特許文献２】特開２００６−３２６０４０号公報
【特許文献３】特開２００４−１６００１５号公報
【発明の開示】
【発明が解決しようとする課題】
【０００３】
ところが、前記特許文献１、２記載の構成では、ベッド使用位置において背凭れと座とを略重ね合わせて背凭れの背面を利用するようにしているため、ベッドとしての幅は座面の奥行きと略等しく、通常のベッドと比較して幅が狭いという不具合が生じる。一方、前記特許文献３記載の構成では、ベッドとしての使用時には、ベッドとしての幅を十分確保できるものの、背凭れ面を座面と略面一とした状態の背凭れを支持させるべく、別途ストッパ部材や脚等を設ける必要がある。すなわち、この構成では、通常のソファとしての使用時には不必要な部品を用意する必要があるという不具合が生じる。
【０００４】
本発明は以上に述べた課題を解決すべく、すなわち簡単な構成でベッドとしての使用時にベッドとしての幅を十分確保できるベッド兼用ソファを提供することを目的とするものである。
【課題を解決するための手段】
【０００５】
以上の課題を解決すべく、本発明に係るベッド兼用ソファは、座を有する椅子本体と、この椅子本体に支持させてなる背凭れと、前記背凭れを、座の後上方に起立する通常使用位置と、上面又は下面が座の座面と略面一であるベッド使用位置との少なくともいずれかに選択的に保持可能な背凭れ支持機構とを具備してなることを特徴とする。
【０００６】
このようなものであれば、背凭れ支持機構を介して背凭れを椅子本体に支持させつつ前記ベッド使用位置に移動させた際に、背凭れの上面又は下面が座の座面と略面一となるので、背凭れをベッドの上面の一部として使用可能にできる構成を、背凭れを支持する特別な部材を設けることなく実現できる。
【０００７】
以上の課題を解決する上で、より簡単な構成で背凭れの上面又は下面をベッドの一部として使用するには、前記背凭れ支持機構が、前記椅子本体の幅方向端部に回転軸を介して支持されるとともに前記背凭れの幅方向端部を支持するアームを有し、このアームの回転運動により、前記背凭れを前記通常使用位置と前記ベッド使用位置との間で移動可能な構成を有するものが望ましい。このようなものであれば、前記回転運動のみにより背凭れの下面を反転させて上向きとしつつ座面と隣接する位置に移動できるからである。
【０００８】
また、前記座の座面が、前記回転軸上方の部位において他の部位よりも上方に隆起しているものであれば、この部位に前記回転軸を収納することができる。
【０００９】
一方、前記背凭れの上面又は底面に、前記ベッド使用位置において接地する背凭れ脚部を設けているものであれば、ベッド使用時に背凭れを支持させるための特別な部品を別に用意することなく、前記背凭れを前記ベッド使用位置に移動させるだけでベッドとして使用できる。
【００１０】
そして、前記背凭れの上面又は底面に、前記背凭れ脚部を幅方向に離間させて複数設けているとともに、これら背凭れ脚部間の部位に前記ベッド使用位置において設置面と離間する凹部を設けているものであれば、この凹部は接地面に直接接触しないので、この部位が床面に触れて汚れる不具合の発生を抑えることができる。
【発明の効果】
【００１１】
本発明のベッド兼用ソファの構成によれば、背凭れ保持機能により背凭れを上面又は下面が座の座面と略面一なベッド使用位置に配置可能であるので、背凭れを支持するための大がかりな部材を用いることなく、ベッドとしての使用時に背凭れを前記ベッド使用位置に移動させ、背凭れの上面又は下面が座の座面と略面一とすることにより、ベッドとしての幅寸法を大きくとることができる構成を実現できる。
【発明を実施するための最良の形態】
【００１２】
以下、本発明の一実施形態について図面を参照しつつ説明する。
【００１３】
本実施形態に係るベッド兼用ソファ１は、主に病院の待合室に設置してなり、図１に全体斜視図、図２に側面図、図３に正面図をそれぞれ示すように、左右１対に設けた脚体２１、及びこの脚体２１に下方から支持させてなる座２２を有する椅子本体２と、この椅子本体２に支持させてなる背凭れ３と、前記背凭れ３を、座２２の後上方に起立する通常使用位置Ｃと、上面３ｂ又は下面３ａが座２２の座面２２ａと略面一であるベッド使用位置Ｂとのいずれかに選択的に保持可能な背凭れ支持機構４とを具備する。
【００１４】
前記座２２は、左右両端部を前記脚体２１に支持させてなる。また、本実施形態では、左右両端部に、座面２２ａを上方に隆起させた隆起部２２１を設けている。この隆起部２２１の厚さ寸法は、座２２の左右両端に向かうにつれ漸次大きくなるようにしている。
【００１５】
一方、前記背凭れ３は、下面３ａを平面状に形成しているとともに、上端部の左右両端部には上方に突出する突起３１を設け、これら突起３１間の部位を凹部３ｘとして形成している。
【００１６】
また、前記背凭れ支持機構４は、前記椅子本体２の幅方向端部に回転軸４２を介して支持されるとともに前記背凭れ３の幅方向一端部をそれぞれ支持する左右１対のアーム４１を有する。このアーム４１はほぼＬ字状をなす板状の部材であって、一方の端部を回転軸４２を介して前記椅子本体２、より具体的には前記座２２に接続しているとともに、他方の端部を背凭れ３に固定している。
【００１７】
しかして本実施形態では、上述したように、背凭れ支持機構４は、前記背凭れ３を、前記通常使用位置Ｃと前記ベッド使用位置Ｂとに選択的に保持可能である。より具体的には、前記アーム４１を回転運動させることにより、前記背凭れ３を前記通常使用位置Ｃと前記ベッド使用位置Ｂとの間で移動可能に構成している。
【００１８】
さらに詳述すると、前記通常使用位置Ｃでは、前記背凭れ３は下面３ａを座面２２ａの後端部に当てた状態で、座２２の後端部から起立した状態に保持されている。この状態では、背凭れ３及びアーム４１の荷重は、主に座２２が受けている。また、本実施形態では、前記背凭れ支持機構４と前記椅子本体２との間、具体的には前記アーム４１と前記座２２との間に、このアーム４１及び背凭れ３の通常使用位置Ｃからの移動を規制するための移動規制部５を設けている。この移動規制部５は、例えば、一方のアーム４１と座２２の一側面とにそれぞれ設けた対をなす面ファスナ５ａ、５ｂを利用して形成している。
【００１９】
一方、前記ベッド使用位置Ｂでは、前記背凭れ３は座２２の前方に上下反転させた状態すなわち下面３ａが上向きとなる状態で配され、背凭れ３の下面３ａが座面２２ａと略面一であるとともに背凭れ３の上面３ｂに形成した前記突起３１が床面に接する状態で保持されている。すなわち、この突起３１が請求項中の背凭れ脚部として機能する。この状態では、背凭れ３の自重は主に床体が受けている。ここで、前記ベッド使用位置Ｂでは、背凭れ３の上面３ｂの突起３１間の部位すなわち凹部３ｘは設置面すなわち床面と離間している。
【００２０】
そして、このベッド兼用ソファ１をソファとして使用する状態、すなわち背凭れ３を通常使用位置Ｃに配置した状態からベッドとして使用する状態、すなわち背凭れ３をベッド使用位置Ｂに配置した状態に転換するには、以下の操作を行うようにしている。まず、前記移動規制部５により背凭れの移動を規制している状態、具体的には前記アーム４１側の面ファスナ５ａを前記座２２側の面ファスナ５ｂに留めた状態を解除する。すなわち、前記アーム４１側の面ファスナ５ａを前記座２２側の面ファスナ５ｂから剥離する。次いで、背凭れ３を前上方に引き上げ、背凭れ３の上面３ｂに形成した突起３１が接地するまで背凭れ３及びアーム４１を回転移動させる。ここで、背凭れ３の上面３ｂに形成した突起３１が接地すると、背凭れ３の下面３ａが上方を向き座面２２ａと略面一となる。また、座面２２ａの左右両端に形成した隆起部２２１は、この状態では奥行き方向中央部、すなわちベッドとしての使用態様における幅方向中央部に位置する。なお、アーム側の面ファスナ５ａは、背凭れ３をベッド使用位置Ｂに配置した状態では、図示はしないがアームの内側面に沿わせて垂下させた状態に収納している。
【００２１】
一方、このベッド兼用ソファ１をベッドとして使用する状態からソファとして使用する状態に転換するには、その逆の操作を行うようにしている。すなわち、まず背凭れ３を上方に持ち上げ、それから背凭れ３の下面３ａが座面２２ａに接する前記通常使用位置Ｃに向けて背凭れ３及びアーム４１を回転移動させる。そして、背凭れが前記通常使用位置Ｃに達した際に、前記アーム４１側の面ファスナ５ａを前記座２２側の面ファスナ５ｂに留め、前記移動規制部５により背凭れ３の通常使用位置Ｃからの移動を規制する。
【００２２】
以上に述べたように、本実施形態に係るベッド兼用ソファ１の構成を採用すると、背凭れ支持機構４を介して背凭れ３を椅子本体２に支持させつつ、背凭れ３を前記ベッド使用位置Ｂに移動させた際に、背凭れ３の下面３ａが座２２の座面２２ａと略面一となる構成を、背凭れ３をベッド使用位置Ｂに移動させた場合にのみ背凭れ３を支持するための大がかりな部材を用いることなく、簡単な構成で実現できる。すなわち、背凭れ３をベッドの上面の一部として使用可能にしつつ、この状態で背凭れ３を支持するための部材を最小限にしつつ実現できる。
【００２３】
また、前記背凭れ支持機構４が、前記椅子本体２の幅方向端部に回転軸４２を介して支持されるとともに前記背凭れ３の幅方向端部を支持するアーム４１を有し、このアーム４１の回転運動により、前記背凭れ３を前記通常使用位置Ｃと前記ベッド使用位置Ｂとの間で移動可能にしているので、前記回転運動のみにより背凭れ３の下面３ａを反転させて上向きとしつつ座面２２ａと隣接する位置に移動できる。従って、より簡単な構成で背凭れ３の下面３ａをベッドの一部として使用できる。
【００２４】
さらに、前記回転軸４２上方の部位すなわち座２２の左右両端部に、座面２２ａを上方に突出させた隆起部２２１を設け、この部位に前記回転軸４２を収納するようにしているので、回転軸４２を安定して座２２に支持させることができる。加えて、本実施形態では、この隆起部２２１を、前記背凭れ３をベッド使用位置Ｂとした際に奥行き方向中央部、すなわちベッドとしての使用態様における幅方向中央部となる箇所に位置させているので、この隆起部２２１を枕として使用することも可能である。
【００２５】
一方、前記背凭れ３の上面３ｂには、前記ベッド使用位置Ｂにおいて接地する突起３１を設けているので、ベッド使用時に背凭れ３を支持させるための特別な部品を別に用意することなく、前記背凭れ３を前記ベッド使用位置Ｂに移動させるだけでこの突起３１に背凭れ３の自重を支持させてベッドとして使用できる。
【００２６】
そして、前記背凭れ３の上面に、前記突起３１を幅方向に離間させて複数設けているとともに、これら突起３１間の部位に前記ベッド使用位置Ｂにおいて床面と離間する凹部３ｘを設けているので、この凹部３ｘは床面に直接接触せず、この部位が床面に触れて汚れる不具合の発生を抑えることができる。
【００２７】
加えて、本実施形態では、前記アーム４１と前記座２２との間に、このアーム４１及び背凭れ３の通常使用位置Ｃからの移動を規制するための移動規制部５を設けているので、ソファとしての使用時に、いたずら等により不用意に背凭れ３が移動して意図せずベッドとして利用されてしまうことを防ぐことを抑制できる。また、この移動規制部５を、一方のアーム４１と座２２の一側面とにそれぞれ設けた対をなす面ファスナ５ａ、５ｂを利用して形成しているので、簡単な構成によりこのような移動規制部５を実現できる。
【００２８】
なお、本発明は以上に述べた実施形態に限らない。
【００２９】
例えば、背凭れの上面を略平面状とするとともに、背凭れと椅子本体との間に、背凭れを座の後上方に位置する通常使用位置と座の後下方に位置するベッド使用位置との間でスライド移動可能かつ前記通常使用位置とベッド使用位置とのいずれかに背凭れを選択的に保持可能な背凭れ支持機構を設けてもよい。この態様では、前記背凭れ支持機構は、背凭れ側に設けてなるスライダと、椅子本体側に設けてなり前記スライダをスライド可能に支持するレールと、背凭れを前記通常使用位置及びベッド使用位置に選択的に保持すべく前記スライダの移動を規制するストッパとを具備する。なお、背凭れをベッド使用位置に配した際に背凭れが接地する構成を採用してもよく、この場合は、前記ストッパは背凭れを前記通常使用位置に保持すべく前記スライダの移動を規制する機能のみを有するものであってもよい。
【００３０】
また、下面が略平面状をなす背凭れ自体を回転軸周りに１８０度回転可能に椅子本体に支持させるとともに、背凭れの下面が下方を向く状態で座の後上方に位置する通常使用位置、及び背凭れの下面が上方を向くとともに背凭れの上面が接地した状態で下面が座面と略面一であるベッド使用位置のいずれかに背凭れを選択的に保持可能な背凭れ支持機構を設けてもよい。この態様では、前記背凭れ支持機構は、背凭れ側に設けてなる回転軸と、椅子本体側に設けてなり前記回転軸を支持するとともに上下方向にスライド可能な軸受と、この軸受をスライド可能に支持するレールと、背凭れを前記通常使用位置又はベッド使用位置に選択的に保持すべく前記軸受の移動を規制するストッパとを具備する。ここで、前記ストッパとしては、背凭れの下面が下方を向く状態で座の後上方に位置する通常使用位置においては背凭れを前記通常使用位置に保持すべく軸受のスライド移動を規制する機能、及び背凭れの下面が上方を向きかつ座面と略面一となるベッド使用位置においては背凭れを前記ベッド使用位置に保持すべく軸受のスライド移動を規制する機能を有する構成のもの等が考えられる。なお、この態様においても、背凭れをベッド使用位置に配した際に背凭れが接地する構成を採用してもよく、この場合は、前記ストッパは背凭れの下面が下方を向く状態で座の後上方に位置する通常使用位置においては背凭れを前記通常使用位置に保持すべく軸受のスライド移動を規制する機能のみを有するものであってもよい。
【００３１】
また、上述した実施形態において、座面の左右両端部を隆起させる代わりに、座と背凭れ支持機構のアームとの間に肘当て部材を設け、この肘当て部材に背凭れを支持させるべく背凭れ支持機構の回転軸を設けるようにしてももちろんよい。
【００３２】
さらに、背凭れに背凭れ脚部を設ける代わりに、背凭れの上面又は下面全体で接地するようにしてもよく、また、背凭れの上面から上方に常時突出する突起又は下面から下方に常時突出する突起を利用して背凭れ脚部を形成する代わりに、ソファとしての使用時には背凭れ内部に収納可能である、又は背凭れの後方に折り畳んでおくことが可能である背凭れ脚部を別途設けてもよい。
【００３３】
加えて、上述した実施態様における移動規制部は必ずしも設ける必要はなく、また、上述した実施態様に示す以外の態様、例えばねじによりアームを座に固定可能にする態様や、アームと座のうち一方に設けてなる弾性爪と他方に設けてなり前記弾性爪と係り合うことが可能な凹部とを係わり合わせることにより背凭れの移動を規制する態様等を採用してもよい。もちろん、背凭れ支持機構のアームと座との間でなく、例えば背凭れと座との間に移動規制部を設ける態様、例えば背凭れを座に面ファスナで留める態様や背凭れを座にねじ止め可能にする態様を採用してもよい。
【００３４】
その他、本発明の趣旨を損ねない範囲で種々に変更してよい。
【図面の簡単な説明】
【００３５】
【図１】本発明の一実施形態に係るベッド兼用ソファの斜視図。
【図２】同実施形態に係るベッド兼用ソファの側面図。
【図３】同実施形態に係るベッド兼用ソファの正面図。
【図４】同実施形態に係るベッド兼用ソファのベッドとしての使用態様を示す斜視図。
【図５】同実施形態に係るベッド兼用ソファのベッドとしての使用態様を示す側面図。
【符号の説明】
【００３６】
１…ベッド兼用ソファ
２…椅子本体
２２…座
２２ａ…座面
３…背凭れ
３ａ…背凭れの下面
４…背凭れ支持機構
Ｃ…通常使用位置
Ｂ…ベッド使用位置
【図１】
2010017479.tif 000003
【図２】
2010017479.tif 000004
【図３】
2010017479.tif 000005
【図４】
2010017479.tif 000006
【図５】
2010017479.tif 000007